(57)【要約】【課題】  複数の記録層を有し、各記録層へのデータの書換えが可能な光ディスクの各記録層に対応し、当該記録層へのデータの書換えが可能な回数である限界書換回数のうち、最大の限界書換回数により近い回数のデータの記録、追加記録、編集または削除が可能な光ディスクを得る。【解決手段】  複数の記録層を有し、各記録層へのデータの書換えが可能な光ディスクにおける所定の領域に、前記記録層へのデータの書換えが可能な回数である限界書換回数に対応する情報を記録する。【選択図】          図１
2007073083.tif 000002
【特許請求の範囲】
【請求項１】
複数の記録層を有し、各記録層へのデータの書換えが可能な光ディスクであって、
前記記録層へのデータの書換えが可能な回数である限界書換回数に対応する情報を有することを特徴とする光ディスク。
【請求項２】
複数の記録層を有し、各記録層へのデータの書換えが可能な光ディスクであって、
前記複数の記録層のうち、前記記録層へのデータの書換えが可能な回数である限界書換回数が最大の記録層を示す情報を有する光ディスク。
【請求項３】
複数の記録層を有し、各記録層へのデータの書換えが可能な光ディスクであって、
各記録層に対応する、前記記録層へのデータの書換えが可能な回数である限界書換回数の大小関係を示す情報を有する光ディスク。
【請求項４】
前記大小関係を示す情報は、当該光ディスクにおける各記録層の限界書換回数の順位を示す情報であることを特徴とする請求項３に記載の光ディスク。
【請求項５】
前記複数の記録層のうち、限界書換回数が最大の記録層に、当該光ディスクに記録されるデータうち、書換え頻度の高いデータを記録したことを特徴とする請求項１ないし４のいずれかに記載の光ディスク。
【請求項６】
書換え頻度の高いデータは、ファイルシステムデータであることを特徴とする請求項５に記載の光ディスク。
【請求項７】
複数の記録層を有し、各記録層へのデータの書換えが可能な光ディスクへのデータの記録を行なう記録方法であって、
当該光ディスクに記録された、前記記録層へのデータの書換えが可能な回数である限界書換回数に対応する情報に基づいて、当該光ディスクに記録されるデータうち、書換え頻度の高いデータを記録することを特徴とする記録方法。
【請求項８】
前記書換え頻度の高いデータは、前記限界書換回数が最大である記録層に記録されることを特徴とする請求項７に記載の記録方法。
【請求項９】
複数の記録層を有し、各記録層へのデータの書換えが可能な光ディスクへのデータの記録を行なう記録装置であって、
当該光ディスクに記録された、前記記録層へのデータの書換えが可能な回数である限界書換回数に対応する情報を検出する手段と、
前記限界書換回数に対応する情報に基づいて、当該光ディスクに記録されるデータうち、書換え頻度の高いデータを記録することを特徴とする記録装置。
【請求項１０】
複数の記録層を有し、各記録層へのデータの書換えが可能な光ディスクであって、当該光ディスクに記録された、前記記録層へのデータの書換えが可能な回数である限界書換回数に対応する情報に基づいて所定の記録層にファイルシステムデータが記録された光ディスクを再生する再生方法であって、
前記限界書換回数に対応する情報に基づいて、ファイルシステムデータを検出し、
該検出したファイルシステムデータに基づいて、前記光ディスクに記録されたデータの再生を行なう再生方法。
【請求項１１】
複数の記録層を有し、各記録層へのデータの書換えが可能な光ディスクであって、当該光ディスクに記録された、前記記録層へのデータの書換えが可能な回数である限界書換回数に対応する情報に基づいて所定の記録層にファイルシステムデータが記録された光ディスクを再生する再生装置であって、
前記限界書換回数に対応する情報に基づいて、ファイルシステムデータを検出する検出手段と、
該検出手段によって検出されたファイルシステムデータに基づいて、前記光ディスクに記録されたデータの再生を行なう再生手段とを備える再生装置。
【発明の詳細な説明】
【技術分野】
【０００１】
本発明は、光ディスクに関し、特に、複数の記録層を有し、各記録層に記録されたデータの書換えが可能な光ディスクに関する。
【背景技術】
【０００２】
従来の光ディスクにおいては、当該光ディスクに記録されたデータの位置を特定する際に使用するファイルシステムデータが書換可能領域の所定の領域に記録される。そして、当該書換可能領域へのデータの書換回数が書換回数制限を越えた際、当該書換可能領域において前記所定の領域とは異なる領域に前記ファイルシステムデータを記録する。すなわち、ファイルシステムデータに対して代替処理を行なう（例えば、特許文献１）。
【０００３】
【特許文献１】特開平９−２５９５７５号公報
【発明の開示】
【発明が解決しようとする課題】
【０００４】
従来の、複数の記録層を有し、各記録層に記録されたデータの書換えが可能な光ディスク（例えば、ＤＶＤ−ＲＷ（Ｄｉｇｉｔａｌ  Ｖｅｒｓａｔｉｌｅ  Ｄｉｓｃ−ＲｅＷｒｉｔａｂｌｅ））においては、通常、当該光ディスクにおいてレーザ光が入射する面（入射面）に最も近い記録層の内周側にファイルシステムを記録する。そして、当該光ディスクに番組、映画等のコンテンツの映像データまたは音声データ等（以下、映像データまたは音声データを総称して実データともいう）を記録（追加記録を含む）した場合、または、光ディスクに記録された実データの編集もしくは削除をした場合には、各々の処理に応じてファイルシステムデータを変更する必要がある。すなわち、上述した処理に応じて、光ディスクの所定の領域に記録されたファイルシステムデータの書換えを行なう必要がある。また、前記映像データの再生順序を特定するために使用する再生制御データのようにコンテンツの再生に必要な情報についても更新を行なう必要がある。
【０００５】
しかしながら、当該光ディスクにおいては、入射面に近い記録層（以下、レイヤ０ともいう）の書換回数制限（以下、限界書換回数ともいう）が、当該記録層よりも前記入射面から遠い記録層（以下、レイヤ１ともいう）の書換回数制限よりも少ない場合がある。すなわち、当該レイヤ０のダイレクトオーバーライト繰り返し特性（以下、ＤＯＷ（Ｄｉｒｅｃｔ  ＯｖｅｒＷｒｉｔｅ）特性ともいう）が、レイヤ１のＤＯＷ特性よりも悪い場合がある（例えば、ＯＰＴＲＯＮＩＣＳ（２００３）Ｎｏ．５  特集『Ｂｌｕ−ｒａｙ  Ｄｉｓｃ』  書換型相変化メディア技術  Ｐ．１４４〜１４７  図７：２層Ｂｌｕ−ｒａｙ  Ｄｉｓｃのダイレクトオーバーライト繰り返し特性（Ｐ．１４７）を参照）。
【０００６】
したがって、例えば、レイヤ０においてデータの記録、または編集等の処理が頻繁に繰り返された場合、レイヤ１の限界書換回数を超えていない間に、ファイルシステムデータのように頻繁に更新されるデータを記録するレイヤ０の領域への記録等の回数が限界書換回数を超えてしまう場合がある。そして、このような場合には、ファイルシステムデータの更新を行なうことができなくなってしまうため、例えば、光ディスクに新たに記録された映像データ等の読み出しを行なうことが不可能となってしまう。
【０００７】
すなわち、複数の記録層を有し、各記録層に記録されたデータの書換えが可能な光ディスクにおいては、ＤＯＷ特性の影響によって、データの記録または編集等が、各記録層に対応する限界書換回数のうち、最大の限界書換回数まで行なうことができない場合がある。
【０００８】
そして、以上に説明した問題は、複数の記録層を有し、各記録層に記録されたデータの書換えが可能な光ディスクにおいて、特許文献１に記載の光ディスクのように、ファイルシステムデータに対する代替処理を行なう場合においても同様に生じる問題である。
【０００９】
そこで、本発明は以上に説明した課題を解決するためになされたものであって、光ディスクにおける各記録層に対応する限界書換回数のうち、最大の限界書換回数により近い回数のデータの記録または編集等が可能な光ディスクを得ることを目的とする。
【課題を解決するための手段】
【００１０】
本発明に係る光ディスクは、複数の記録層を有し、各記録層へのデータの書換えが可能な光ディスクであって、前記記録層へのデータの書換えが可能な回数である限界書換回数に対応する情報を有する。
【発明の効果】
【００１１】
本発明に係る光ディスクによれば、光ディスクの各記録層に対応する限界書換回数のうち、最大の限界書換回数により近い回数のデータの記録または編集等が可能である。
【発明を実施するための最良の形態】
【００１２】
実施の形態１．
図１は、実施の形態１の光ディスクにおけるリードイン（Ｌｅａｄ−Ｉｎ）エリアのデータレイアウトを説明するための説明図である。なお、以下の説明においては、当該光ディスクが、複数の記録層を有し、各記録層のデータの書換えが可能なＤＶＤ−ＲＷである場合について説明する。図１（ａ）において、Ｐｈｙｓｉｃａｌ  ｆｏｒｍａｔ  ｉｎｆｏｒｍａｔｉｏｎ  Ｚｏｎｅ２０１（以下、ＰＦＩＺ２０１ともいう）は、光ディスクの構造（例えば、記録層の数）等、当該光ディスクの物理的な情報が格納される領域である。Ｃｏｎｔｒｏｌ  Ｄａｔａ  Ｚｏｎｅ２０２（以下、ＣＤＺ２０２ともいう）は、当該光ディスクの再生等を行なう装置におけるサーボ制御を行なう際に使用するデータ等が格納される領域である。また、Ｄａｔａ  Ａｒｅａ２０３は、ファイルシステムデータやコンテンツの映像データ等の実データが記録される領域である。
【００１３】
ＰＦＩＺ２０１およびＣＤＺ２０２には、図１（ｂ）に示すＰｈｙｓｉｃａｌ  ｆｏｒｍａｔ  ｉｎｆｏｒｍａｔｉｏｎ（以下、ＰＦＩともいう）が所定の領域に記録される。なお、上述した光ディスクの物理的な情報は当該ＰＦＩに格納される。また、当該ＰＦＩは、各種メディア（ＤＶＤ−Ｒ、ＤＶＤ−ＲＷ等）において固有の情報であるＭｅｄｉｕｍ  ｕｎｉｑｕｅ  ｄａｔａ２０４を含む。そして、当該光ディスクは、Ｍｅｄｉｕｍ  ｕｎｉｑｕｅ  ｄａｔａ２０４に記録層別限界書換回数順位フィールド２０５（以下、順位フィールド２０５ともいう）を有する（図１（ｃ））。
【００１４】
記録層別限界書換回数順位フィールド２０５は、光ディスクに含まれる記録層の数に応じて複数のフィールド２０６〜２０９に分割される。そして、各フィールド２０６〜２０９には、光ディスクにおける各記録層が、複数の記録層のうちで何番目に限界書換回数の多い記録層であるかを示す情報が記述される。すなわち、記録層別限界書換回数順位フィールド２０５における各フィールド２０６〜２０９には、全記録層における各記録層の限界書換回数の順位を示す情報（以下、順位情報ともいう）が記述される。
【００１５】
なお、ＣＤＺの記録層別限界書換回数順位フィールド２０５は光ディスク製造時に設けられ、当該記録層別限界書換回数順位フィールド２０５に記述される順位は、当該光ディスクの製造時に決定され、記述される。具体的には、例えば、光ディスクメーカにおいて、各記録層のＤＯＷ特性を比較し、当該比較の結果に応じて、限界書換回数の順位を決定する。なお、ＣＤＺの記録層別限界書換回数順位フィールド２０５は書換えが行なわれないが、ＰＦＩＺの記録層別限界書換回数順位フィールドは、例えば、当該光ディスクの記録層への記録等の回数が限界書換回数に達した際において書き換えることが可能である。
【００１６】
図２は、実施の形態１における情報記録再生装置１０００の構成を示すブロック図である。当該情報記録再生装置１０００は、光ディスク１０２に対する情報の記録、または光ディスク１０２に記録された情報の再生を行なう。以下、情報記録再生装置１０００における各部の動作について説明する。
【００１７】
図２において、光ディスク１０２が光学ドライブ１０１に挿入されると、ドライブシステム用コントローラ１０９は、当該光ディスク１０２が光学ドライブ１０１で取り扱うことが可能な光ディスクであるか否かの識別を行なう。そして、ドライブシステム用コントローラ１０９は、挿入された光ディスク１０２が光学ドライブ１０１において取り扱うことが不可能な光ディスクである場合には、光ディスクを排出する等によって処理を中止する。一方、ドライブシステム用コントローラ１０９は、挿入された光ディスク１０２が光学ドライブ１０１において取り扱うことが可能な光ディスクである場合には、当該光ディスクをマウントする。
【００１８】
光学ドライブ１０１が光ディスク１０２をマウントすると、システムコントローラ１１７は、当該光ディスク１０２がＣＤ−ＲＯＭ、ＣＤ−Ｒ、ＣＤ−ＲＷ、ＤＶＤ±Ｒ、ＤＶＤ±ＲＷ、ＤＶＤ−ＲＡＭ、Ｂｌｕ−ｒａｙ  Ｄｉｓｃ等の各種光ディスクのうち、いずれの光ディスクであるかを識別する。具体的に説明すると、当該システムコントローラ１１７は、入出力制御部１１０を介し、ドライブシステム用コントローラ１０９に対して、当該ドライブシステム用コントローラ１０９における識別結果を要求する。そうすると、ドライブシステム用コントローラ１０９は、当該識別結果をシステムコントローラ１１７に出力する。そして、システムコントローラ１１７は、当該識別結果を解釈し、光ディスクの識別を行なう。なお、上述した光ディスクの識別の詳細に関しては、例えば、Ｍｔ． Ｆｕｊｉ規格に記載されている。また、当該規格は、更新されるが、２００５年８月３０日現在においては下記のＵＲＬにおいて入手可能である。
ＵＲＬ：ftp://ftp.avc-pioneer.com/Mtfuji_6/Spec/Fuji6r094_diff.pdf
【００１９】
システムコントローラ１１７は、光ディスクの識別の結果、光ディスク１０２がＤＶＤである場合には、光ディスク１０２からＰＦＩを読み出すように、ドライブ用システムコントローラ１０９にコマンドを出力する。ドライブ用システムコントローラ１１９は、当該コマンドに応じて駆動制御部１０６を制御する。駆動制御部１０６は、当該制御に応じて、光学ヘッド１０４等の制御を行なう。そうすると、光学ヘッド１０４によって、ＰＦＩが光ディスク１０２から読み出される。そして、当該ＰＦＩは、アナログフロントエンド部１０７、光学ドライブ信号処理部１０８および入出力制御部１１０を介して、光学ヘッド１０４からシステムコントローラ１１７に入力される。
【００２０】
システムコントローラ１１７は、入力されたＰＦＩに基づいて、当該光ディスク１０２が複数の記録層を有しているか否かを判断する。また、前記入力されたＰＦＩのＭｅｄｉｕｍ  ｕｎｉｑｕｅ  ｄａｔａ２０４に基づいて、当該光ディスク１０２が記録層別限界書換回数順位フィールド２０５を有するか否かを判断する。そして、光ディスク１０２が記録層別限界書換回数順位フィールド２０５を有する場合には、記録層別限界書換回数順位フィールド２０５に記述された順位情報を図示しない記憶手段に記憶する。また、システムコントローラ１１７は、順位情報を参照して、光ディスク１０２の記録層のうち、限界書換回数が最大である記録層を検出し、検出結果を前記記憶手段に記憶させる。さらに、システムコントローラ１１７は、順位情報に基づいて、ファイルシステムデータが記録されている記録層を特定し、当該ファイルシステムデータを読み出すように、ドライブ用システムコントローラ１０９に要求する。そうすると、ＰＦＩを読み出す場合と同様にして、光学ヘッド１０４によってファイルシステムデータが光ディスク１０２から読み出しされ、当該ファイルシステムデータは、システムコントローラ１１７に入力される。そして、システムコントローラ１１７は、入力されたファイルシステムデータを図示しない記憶手段に記憶させる。
【００２１】
なお、以下の説明においては、光ディスク１０２に記録されたファイルシステムデータと、光ディスクから読み出された後、記憶手段に記憶されたファイルシステムデータとを区別するため、記憶手段に記録されたファイルシステムデータをファイルシステムデータイメージともいう。したがって、例えば、光ディスクから読み出された直後のファイルシステムデータの内容とファイルシステムデータイメージの内容とは同一の内容であるが、光ディスク１０２に実データが記録された場合には、ファイルシステムデータイメージの内容が更新されるため、ファイルシステムデータの内容と、ファイルシステムデータイメージの内容とは異なる内容となる。なお、ファイルシステムデータイメージは、所定のタイミング（例えば、光ディスク排出時等）において、記憶手段から光ディスク１０２における、ファイルシステムデータを記録する領域に記録される。
【００２２】
当該情報記録再生装置１０００は、以上に説明した動作により、ファイルシステムデータを記憶手段に記憶すると、動作待ち状態（待機状態）となる。なお、この時点で、情報記録再生装置１０００において、光ディスク１０２へのデータの記録、または光ディスク１０２に記録されたデータの再生を行なうことが可能となる
【００２３】
以下、情報記録再生装置１０００において、光ディスク１０２にデータの記録を行なう場合における各部の動作について説明する。ユーザが操作部１１８を操作することによって記録が指示されると、当該情報記録再生装置１０００に接続された外部機器（例えば、テレビジョン放送を受信する受信装置等。図示せず。）から入力される情報（以下、入力情報ともいう）を光ディスク１０２に記録する旨の信号（以下、記録開始信号ともいう）がシステムコントローラ１１７からビデオ入出力部１１５およびオーディオ入出力部１１６に入力される。なお、前記入力情報に含まれる情報のうち、映像データ（以下、入力映像データともいう）はビデオ入出力部１１５に入力され、音声データ（以下、入力音声データともいう）はオーディオ入出力部１１６に入力される。
【００２４】
ビデオ入出力部１１５は、システムコントローラ１１７から入力された記録開始信号に応じて、圧縮／伸張処理部１１１が処理可能な所定の信号に入力映像データを変換する。また、オーディオ入出力部１１６は、圧縮／伸張処理部１１１が処理可能な所定の信号に入力音声データを変換する。
【００２５】
圧縮／伸張処理部１１１において、ビデオ処理部１１３は、入力映像データを圧縮して多重化処理部１１２に出力する。また、オーディオ処理部１１４は、入力音声データを圧縮して多重化処理部１１２に出力する。そして、多重化処理部１１２は、圧縮された、入力映像データおよび入力音声データを多重化して入出力制御部１１０に出力する。なお、以下の説明においては、多重化処理部１１２において多重化されたデータを映像データストリームともいう。
【００２６】
なお、前記圧縮／伸張処理部１１１における具体的な処理は、例えば、以下のようにして行なう。すなわち、ビデオ入出力部１１５は、入力映像データをＩＴＵ−Ｒ  ＲＥＣ６５６信号（以下、ＲＥＣ６５６信号ともいう。）に変換する。また、オーディオ入出力部１１６は、入力音声データをＰＣＭ信号に変換する。そして、ビデオ処理部１１４は、前記ＲＥＣ６５６信号に対してＭＰＥＧ２又はＭＰＥＧ４等の符号化圧縮処理を行なう。また、オーディオ処理部１１４は、ＰＣＭ信号に対してＭＰＥＧ１等の符号化圧縮を行なう。さらに、多重化処理部１１２は、前記ビデオ処理部１１３の出力および前記オーディオ処理部１１４の出力に基づいて、ＭＰＥＧ２−ＰＳ等の多重化処理を行なう。
【００２７】
入出力制御部１１０は、システムコントローラ１１７の制御に応じて、多重化処理部１１２から出力された映像データストリーム、およびシステムコントローラ１１７で生成されたデータを光学ドライブ１０１に出力する。なお、システムコントローラ１１７で生成されたデータとは、例えば、前記映像データストリームの再生制御データである。また、光ディスク１０２において、ＵＤＦ（Ｕｎｉｖｅｒｓａｌ  Ｄｉｓｋ  Ｆｏｒｍａｔ）等の所定フォーマットに対応する映像データストリームを記録した位置、および前記再生制御データを記録した位置等を登録するファイルシステム情報もシステムコントローラ１１７で生成されるデータである。なお、当該入出力制御部１１０は、多重化処理部１１２から出力される映像データストリームの符号量の揺らぎを図示しないバッファで吸収して、当該映像データストリームを所定の伝送量で光学ドライブ１０１に出力する。
【００２８】
入出力制御部１１０の出力は、光学ドライブ１０１における光学ドライブ信号処理部１０８に入力される。当該光学ドライブ信号処理部１０８は、入出力制御部１１０の出力に基づいてエラー訂正符号を生成する。そして、当該エラー訂正符号を入出力制御部１１０の出力に付加する。また、エラー訂正符号が付加されたデータに対してスクランブル処理および変調処理等を行なった後、アナログフロントエンド部１０７に出力する。また、ドライブ用システムコントローラ１０９において生成され、スレッドモータ１０３等を制御する各制御信号（詳細は後述）をデジタルアナログ変換して駆動制御部１０６に入力する。
【００２９】
アナログフロントエンド部１０７は、レーザ光のパワーを制御する光量制御信号の信号レベルを変化させて、光学ヘッド１０４に出力する。また、光学ヘッド１０４に設ける受光部（図示せず）から出力される信号（以下、戻り光信号ともいう）に基づいてトラッキングエラー信号およびフォーカスエラー信号等を生成して光学ドライブ信号処理部１０８に出力する。なお、前記光量制御信号は、予め設定される所定の信号レベルとなるように制御される。また、前記戻り光信号は、光学ヘッド１０４から出力されたレーザ光が光ディスク１０２によって反射された光（戻り光）の光量に応じた信号である。また、前記トラッキングエラー信号等は、光学ドライブ信号処理部１０８を介してドライブ用システムコントローラ１０９に入力される。
【００３０】
光学ヘッド１０４は、入力された光量制御信号に応じて、レーザ光のパワーを制御して光ディスク１０２に照射することで前記入出力制御部１１０の出力に対応するデータを光ディスク１０２に記録する。
【００３１】
ドライブ用システムコントローラ１０９は、図示しないメモリに予め記録されたプログラムを実行することによって、前記アナログフロントエンド部１０７から出力されたトラッキングエラー信号またはフォーカスエラー信号に基づいて、トラッキング制御信号およびフォーカス制御信号を生成する。なお、トラッキング制御信号およびフォーカス制御信号は、光学ヘッド１０４に設けられ、トラッキング位置およびフォーカス位置を調整するアクチュエータ（図示せず）の駆動を制御する信号である。また、ドライブ用システムコントローラ１０９は、システムコントローラ１１７によって指定される記録開始位置（光ディスク１０２において情報の記録を開始する位置）または記録終了位置（光ディスク１０２において情報の記録を終了する位置）に応じて、スレッドモータの回転量を制御するスレッド制御信号、およびスピンドルモータの回転速度を制御するスピンドル制御信号を生成する。
【００３２】
駆動制御部１０６は、光学ドライブ信号処理部１０８によって生成されたスレッド制御信号およびスピンドル制御信号に応じて、スレッドモータ１０３およびスピンドルモータ１０５の回転制御を行なう。また、フォーカス制御信号およびトラッキング制御信号に応じて、前記アクチュエータの制御を行なう。
【００３３】
スレッドモータ１０３は、駆動制御部１０６の制御に応じて、光ディスク１０２の半径方向における光学ヘッド１０４の位置を調整する。また、スピンドルモータ１０５は、光ディスク１０２をチャッキングし、所定の回転速度で光ディスク１０２を回転させる。
【００３４】
以上のように、情報記録再生装置１０００において、光ディスク１０２への実データの記録が行なわれた場合、当該情報記録再生装置１０００は、記憶手段に記憶されたファイルシステムデータイメージの更新を行なう。
【００３５】
なお、光ディスク１０２が、光学ドライブ１０１に挿入された時点においてブランクディスクである場合、ファイルシステムデータイメージは、当該情報記録再生装置１０００の仕様に応じたデータである。具体的に説明すると、例えば、光ディスク１０２の初期化の際等において、システムコントローラ１１７は、当該光ディスク１０２がブランクディスクであることを示す（すなわち、光ディスク１０２に実データがないことを示す）ファイルシステムデータイメージを記憶手段に記憶させる。または、当該情報記録再生装置１０００において予め設定される所定のデータに対応するファイルシステムデータイメージを記憶手段に記憶させる場合もある。また、情報記録再生装置１０００の仕様によっては、ユーザが操作部１１８を操作して光ディスク１０２の初期化を指示した際に、記憶手段に記憶されたファイルシステムデータイメージを光ディスク１０２に記録する場合もある。また、光ディスク１０２が、光学ドライブ１０１に挿入された時点において既に実データの記録が行なわれている光ディスクである場合、ファイルシステムデータイメージは、当該実データに対応するデータである。
【００３６】
ファイルシステムデータイメージの更新を行なった後、システムコントローラ１１７は、所定のタイミング（例えば、光ディスク１０２の排出時）で、当該ファイルシステムデータイメージに対応するデータを光ディスク１０２に記録する。具体的に説明すると、まず、システムコントローラ１１７は、記憶手段に記憶された順位情報を参照して、限界書換回数が最も多い記録層（以下、書換最多記録層ともいう）を特定する。
【００３７】
次に、システムコントローラ１１７は、当該書換最多記録層が、データの書込みが可能な状態であるか否かを判断する。例えば、光ディスク１０２における、ファイルシステムデータを書込む領域がキズ等によって破損している場合には、データの書込みが不可能な状態である。また、当該光ディスク１０２へのデータの記録が入射面に近い記録層から行なわれる場合には、レーザーパワーの均一化等の理由から、データの記録を行なう記録層よりも入射面に近い記録層において、当該データを記録する領域に対向する領域にデータが記録されている必要がある。よって、書換最多記録層よりも入射面に近い記録層において、ファイルシステムデータを記録する書換最多記録層の領域に対向する領域に情報の記録が行なわれていない場合にはデータの書込みが不可能な状態である。
【００３８】
システムコントローラ１１７は、書換最多記録層の状態がデータの記録が可能な状態であると判断した場合、書換最多記録層の所定の領域に、記憶手段に記憶されたファイルシステムデータイメージに対応する情報を記録する。一方、書換最多記録層の状態がデータの記録が不可能な状態にあると判断した場合、順位情報によって示される限界書換回数の順位の昇順に各記録層が情報の記録が可能な状態にあるか否かを判断する。そして、情報の記録が可能な記録層のうち、限界書換回数が最も多い記録層の所定の位置にファイルシステムデータイメージに対応するデータの記録を行なう。なお、以上の説明においては、ファイルシステムデータの記録について説明したが、映像データの再生順序等を示すデータである再生制御データについてもファイルシステムデータと同様にして光ディスク１０２への記録を行なう。
【００３９】
以下、以上に説明した処理によってファイルシステムデータ等が記録された光ディスク１０２を情報記録再生装置１０００において再生する場合について説明する。なお、当該再生を行なう場合における情報記録再生装置１０００の動作待ち状態までの動作については、記録を行なう場合と同様であるので説明を省略する。
【００４０】
動作待ちの状態において、ユーザが操作部１１８を操作することによって、光ディスク１０２に記録されたコンテンツの再生を選択すると、システムコントローラ１１７は、順位情報に基づいて、ファイルシステムデータ、再生制御データ等の再生に必要な所望のデータを検索して当該所望のデータを読み出す。具体的に説明すると、システムコントローラ１１７は、順位情報によって示される限界書換回数の順位の昇順に各記録層にアクセスして所望のデータが記録された記録層を検出し、当該記録層から所望のデータを読み出す。そして、当該所望のデータに基づいてコンテンツの再生を行なう。
【００４１】
図３および図４は、以上に説明した情報記録再生装置１０００の動作を示すフローチャートである。以下、当該フローチャートに基づいて、情報記録再生装置１０００の動作を説明する。光学ドライブ１０１に光ディスク１０２が挿入されると、ドライブ用システムコントローラ１０９およびシステムコントローラ１１７は、光ディスク１０２の識別を行なう（Ｓ３０１）。そして、当該光ディスク１０２が、ＤＶＤである場合、システムコントローラ１１７は光ディスク１０２からＰＦＩを取得する（Ｓ３０２）。
【００４２】
次に、システムコントローラ１１７は、ＰＦＩに基づいて、当該光ディスク１０２が複数の記録層を有しているか否かの判断、および当該光ディスク１０２が記録層別限界書換回数順位フィールド２０５を有するか否かの判断を行なう（Ｓ３０３）。当該判断の結果、光ディスク１０２が複数の記録層および記録層別限界書換回数順位フィールド２０５を有する場合（Ｓ３０３：Ｙｅｓ）、システムコントローラ１１７は、光ディスク１０２に記録された順位情報およびファイルシステムデータを検索する。そして、光ディスク１０２から読み出された順位情報およびファイルシステムデータを記憶手段に記憶させる（Ｓ３０５）。また、当該順位情報に基づいて、限界書換回数が最大の記録層を検出する（Ｓ３０６）。そうすると、当該情報記録再生装置１０００は、動作待ちとなる（Ｓ３０７）。一方、光ディスク１０２が複数の記録層および記録層別限界書換回数順位フィールド２０５を有さない場合（Ｓ３０３：Ｎｏ）、当該情報記録再生装置１０００は、当該光ディスクに対して従来の処理と同様の処理を行なう。
【００４３】
動作待ちの状態において、ユーザが、操作部１１８を操作することによって、情報記録再生装置１０００にデータの記録を指示すると（Ｓ３０８：記録）、当該情報記録再生装置１０００において実データの記録が行なわれる（Ｓ３０９）。実データの記録が終了すると、システムコントローラ１１７は、ファイルシステムデータ等を光ディスク１０２に記録すべく、順位情報に基づいて光ディスク１０２における記録層のうち限界書換回数が最大の記録層を選択する（Ｓ３１０）。そして、選択した記録層が、データの記録が可能な状態にあるか否かの判断を行なう（Ｓ３１１）。当該判断の結果、選択した記録層がデータの記録が可能な状態である場合（Ｓ３１１：Ｙｅｓ）、システムコントローラ１１７は、当該記録層の所定の領域にファイルシステムデータ等を記録させる（Ｓ３１３）。一方、選択した記録層がデータの記録が可能な状態にない場合（Ｓ３１１：Ｎｏ）、システムコントローラ１１７は、選択した記録層の限界書換回数の次に大きな限界書換回数を有する記録層を選択し（Ｓ３１２）、当該選択した記録層の所定の領域にファイルシステムデータ等を記録させる（Ｓ３１３）。なお、Ｓ３１３におけるファイルシステムデータ等の記録は、システムコントローラ１１７の要求に応じて、ドライブ用システムコントローラ１０９が光学ドライブ１０１の各部を制御することによって行なわれる。なお、その際、Ｓ３１０で選択した限界書換回数の最大の記録層ではなく、前記次に大きな限界書換回数を有する記録層を限界書換回数の最大の記録層として変更し、光ディスクに記録しておくようにしてもよい。そうすると、Ｓ３０５において説明した動作を後に行なう際、ファイルシステムデータの検索が容易となる。
【００４４】
ドライブ用システムコントローラ１０９は、記録層へのファイルシステムデータ等の記録が完了したか否かを検出する（Ｓ３１６）。そして、記録層へのファイルシステムデータ等の記録が完了した場合（Ｓ３１６：Ｙｅｓ）、ドライブ用システムコントローラ１０９は、システムコントローラ１１７に記録が完了した旨を示す信号を出力する。そうすると、情報記録再生装置１０００は、動作待ちとなる。
【００４５】
一方、記録層へのファイルシステムデータ等の記録が完了しない場合（Ｓ３１６：Ｎｏ）、ドライブ用システムコントローラ１０９は、システムコントローラ１１７に記録ができなかった旨を示す信号（以下、記録不可信号ともいう）を出力する。例えば、記録層において、ファイルシステムデータ等の記録を行なう領域にキズがある場合、当該キズがある旨をシステムコントローラ１１７が認識しない限り、当該システムコントローラ１１７は、キズのある記録層をファイルシステムデータ等の記録を行なう記録層として選択してしまう。
【００４６】
したがって、システムコントローラ１１７が順位情報に基づいてファイルシステムデータ等の記録を行なう記録層を選択（Ｓ３１０）した場合であっても、光学ドライブ１０１において当該記録層への記録を行なうことができない場合がある。このような場合に、ドライブ用システムコントローラ１０９は、システムコントローラ１１７に記録不可信号を出力する。システムコントローラ１１７は、ドライブ用システムコントローラ１０９から記録不可信号が入力されると、Ｓ３１２からの動作を再度実行する。
【００４７】
一方、動作待ちの状態において、ユーザが、操作部１１８を操作することによって、情報記録再生装置１０００にデータの再生を指示すると（Ｓ３０８：再生）、システムコントローラ１１７は、再生に必要な所望のデータを検索する（Ｓ３０４）。次に、当該所望のデータ、および記憶手段に記憶させたフィルシステムデータに基づいてデータの再生を行なう（Ｓ３１５）。そして、再生が終了するか、またはユーザによって再生の中断がされると、情報記録再生装置１０００は動作待ちとなる。なお、動作待ちの状態において、情報記録再生装置１０００の電源が遮断された等の場合には、処理を終了する。
【００４８】
以上の説明のように、実施の形態１における光ディスクによれば、ファイルシステムデータ、再生制御データ等、光ディスクに記録された実データの変化に応じて頻繁に書換が行なわれるデータを記録する領域を、限界書換回数が多い記録層から選択する。そのため、光ディスクにおける最大の書換回数制限により近い回数のデータの記録、追記または編集等が可能となる。よって、光ディスク１０２の寿命を実質的に延ばすことができる。
【００４９】
実施の形態２．
実施の形態２においては、光ディスクがＤＶＤ−ＲＷであって、記録層が２つの場合について具体的に説明する。なお、実施の形態２における情報記録再生装置の構成は、実施の形態１において説明した情報記録装置と同様であるため、図１を引用して当該構成の動作について説明する。また、以下の説明においては、実施の形態１において説明した事項については同一の符号を付し、説明を省略する。また、以下の説明においては、光ディスク１０２の物理アドレスがオポジット方式で設定され、当該光ディスク１０２にＬａｙｅｒ  Ｊｕｍｐ  Ｒｅｃｏｒｄｉｎｇ方式でデータの記録を行なう場合について説明する。
【００５０】
図５は、ＤＶＤ−ＲＷにおいて使用されるファイルシステムデータを説明するための説明図である。なお、ファイルシステムデータはＵＤＦ２．００に準拠したものである。図５において、ＬＳＮ（Ｌｏｇｉｃａｌ  Ｓｅｃｔｏｒ  Ｎｕｍｂｅｒ）で示した列は、論理アドレスを示し、Ｓｔｒｕｃｔｕｒｅで示した列は、各ＬＳＮに記述される領域の名称を示す。
【００５１】
図５において、Ｒｅｓｅｒｖｅｄ  ｏｆ  ｓｙｓｔｅｍ  Ｕｓｅ５０１は、当該光ディスク１０２の記録または再生を行なう装置において、当該光ディスクからによって当該装置の起動（ＤＶＤブート起動）を行なう際に利用する領域であり、通常の装置（例えば、ＤＶＤレコーダ）では使用しない。そのため、通常、Ｒｅｓｅｒｖｅｄ  ｏｆ  ｓｙｓｔｅｍ  Ｕｓｅ５０１はパディングされる。Ｖｏｌｕｍｅ  Ｒｅｃｏｇｎｉｔｉｏｎ  Ｓｅｑｕｅｎｃｅ５０２（以下、ＶＲＳ５０２ともいう）は、光ディスク１０２に対応するファイルシステムがＵＤＦ規格準拠のファイルシステムであることを特定するために必要なデータが記述される領域である。Ｍａｉｎ  Ｖｏｌｕｍｅ  Ｄｅｓｃｅｉｐｔｏｒ  Ｓｅｑｕｅｎｃｅ５０３（以下、ＭＶＤＳ５０３ともいう）は、後述するＤｅｓｃｒｉｐｔｏｒ  ｏｆ  Ｆｉｌｅ  Ｓｔｒｕｃｔｕｒｅ  ａｎｄ  Ｆｉｌｅｓ５０９の位置を特定するためのデータが記述される領域である。Ｒｅｓｅｒｖｅｄ  Ｖｏｌｕｍｅ  Ｄｅｓｃｅｉｐｔｏｒ  Ｓｅｑｕｅｎｃｅ５０４（以下、ＲＶＤＳ５０４ともいう）は、ＭＶＤＳ５０３に記述されたデータが読み出し不可能となった場合のために、ＭＶＤＳ５０４に記述されたデータと同一のデータが記述される領域である。なお、以下の説明においては、ＭＶＤＳ５０３およびＲＶＤＳ５０４を総称して、Ｖｏｌｕｍｅ  Ｄｅｓｃｅｉｐｔｏｒ  Ｓｅｑｕｅｎｃｅ、またはＶＤＳともいう。Ａｎｃｈｏｒ  Ｖｏｌｕｍｅ  Ｄｅｓｃｒｉｐｔｏｒ  Ｐｏｉｎｔｅｒ（以下、ＡＶＤＰともいう）５０５，５１０，５１１は、ＶＤＳを特定するためのデータが記述される領域である。
【００５２】
１ｓｔ  Ｓｐａｒｉｎｇ  Ｔａｂｌｅ５０６および２ｓｔ  Ｓｐａｒｉｎｇ  Ｔａｂｌｅ５０８は、光ディスクにキズがある場合、または、当該光ディスクの記録層への記録等を行なった回数が限界書換回数に到達した場合等、記録層に所定のデータが記録できない場合に、当該所定のデータの代替処理を行なう際に使用するテーブルである。具体的には、光ディスクにおいてキズがある領域、または当該光ディスクにおいて記録等の回数が限界書換回数に達した領域のＬＢＮ（Ｌｏｇｉｃａｌ  Ｂｌｏｃｋ  Ｎｕｍｂｅｒ）を別の領域のＬＳＮに変換するためのデータが記述される領域である。また、Ｓｐａｒｉｎｇ  Ａｒｅａ５０７は、Ｓｐａｒｉｎｇ  Ｔａｂｌｅ５０６，５０８に基づいて、前記代替処理するための領域である。Ｄｅｓｃｒｉｐｔｏｒ  ｏｆ  Ｆｉｌｅ  Ｓｔｒｕｃｔｕｒｅ  ａｎｄ  Ｆｉｌｅｓ５０９は、光ディスク１０２に記録された実データに対応するファイルの構造もしくはファイル名、当該ファイルに対応するディレクトリの構造もしくはディレクトリ名または実データが記録された光ディスク１０２上の位置を特定するためのデータ（以下、ＤＦＳ（Ｄｅｓｃｒｉｐｔｏｒ  ｏｆ  Ｆｉｌｅ  Ｓｔｒｕｃｔｕｒｅ）データともいう）、および実データ（Ｆｉｌｅｓ）が記述された領域である。
【００５３】
システムコントローラ１１７は、ＶＲＳ５０２に記述されたデータに基づいてファイルシステムデータの形式を識別した後、ＡＶＤＰ５０５，５１０，５１１に記述されたデータに基づいてＶＤＳに記述されたデータを取得する。そして、ＶＤＳに記述されたデータに基づいて、Ｄｅｓｃｒｉｐｔｏｒ  ｏｆ  Ｆｉｌｅ  Ｓｔｒｕｃｔｕｒｅ  ａｎｄ  Ｆｉｌｅｓ５０９に記述されたデータを取得する。そして、Ｄｅｓｃｒｉｐｔｏｒ  ｏｆ  Ｆｉｌｅ  Ｓｔｒｕｃｔｕｒｅ  ａｎｄ  Ｆｉｌｅｓ５０９に記述されたＤＦＳデータに基づいて、実データ（Ｆｉｌｅｓ）の再生、新たな実データの記録、または光ディスク１０２に記録された実データの編集もしくは削除を行なう。
【００５４】
上述のように、Ｄｅｓｃｒｉｐｔｏｒ  ｏｆ  Ｆｉｌｅ  Ｓｔｒｕｃｔｕｒｅ  ａｎｄ  Ｆｉｌｅｓ５０９に記述されるＤＦＳデータは、実データの再生、新たな実データの記録、または光ディスク１０２に記録された実データの編集もしくは削除に際して必要なデータであるため、新たな実データの記録、または光ディスク１０２に記録された実データの編集もしくは削除が行なわれるたびに書換えされるデータである。また、Ｓｐａｒｉｎｇ  Ｔａｂｌｅ５０６，５０８に記述されるデータは、光ディスクにおいてキズがある領域、または当該光ディスクにおいて記録等の回数が限界書換回数に達した領域のＬＢＮを別の領域のＬＳＮに変換するためのデータであるため、Ｄｅｓｃｒｉｐｔｏｒ  ｏｆ  Ｆｉｌｅ  Ｓｔｒｕｃｔｕｒｅ  ａｎｄ  Ｆｉｌｅｓ５０９に記述されるデータの変更に応じて書換えが必要なデータである。一方、ＶＲＳ５０２やＡＶＤＰ５０５は、ＵＤＦ規格において定められた位置に配置されるものであり、実データの変更の影響を受けることはない。そうすると、ファイルシステムデータの中でも、Ｄｅｓｃｒｉｐｔｏｒ  ｏｆ  Ｆｉｌｅ  Ｓｔｒｕｃｔｕｒｅ  ａｎｄ  Ｆｉｌｅｓ５０９に記述されるデータ、およびＳｐａｒｉｎｇ  Ｔａｂｌｅ５０６，５０８に記述されるデータは、データの書換え頻度が特に高いデータである。さらに、ＡＶＤＰ５１０，５１１は、ＶＤＳ５０３，５０４を特定するためのデータが記述される領域であるが、当該ＡＶＤＰ５１０，５１１のＬＳＮ（（最終ＬＳＮ−２５６）〜最終ＬＳＮ（図５中のＬＳＮ＝Ｎ））は、Ｄｅｓｃｒｉｐｔｏｒ  ｏｆ  Ｆｉｌｅ  Ｓｔｒｕｃｔｕｒｅ  ａｎｄ  Ｆｉｌｅｓ５０９の領域の拡大に応じて変更する必要がある。そこで、実施の形態２においては、光ディスク１０２の寿命を実質的に延ばすべく、これらのデータについては以下のように光ディスク１０２に記録する。
【００５５】
なお、Ｓｐａｒｉｎｇ  Ｔａｂｌｅ５０６，５０８に基づく代替処理後における光ディスク上の領域へのアクセスは、例えば、以下のように行なう。まず、システムコントローラ１１７は、Ｓｐａｒｉｎｇ  Ｔａｂｌｅ５０６，５０８に記録されたデータを図示しない記憶手段に記憶させる。次に、Ｄｅｓｃｒｉｐｔｏｒ  ｏｆ  Ｆｉｌｅ  Ｓｔｒｕｃｔｕｒｅ  ａｎｄ  Ｆｉｌｅｓ５０９に記述されたデータに対応する領域に記録されたデータにアクセスする場合、システムコントローラ１１７は、当該領域に対応するＬＢＮが、前記記憶手段に記憶されたＳｐａｒｉｎｇ  Ｔａｂｌｅ５０６，５０８に記述されているか否かの判別を行なう。
【００５６】
そして、前記記憶手段に記憶されたＳｐａｒｉｎｇ  Ｔａｂｌｅ５０６，５０８に、当該領域に対応するＬＢＮが記述されていない場合、システムコントローラ１１７は、Ｄｅｓｃｒｉｐｔｏｒ  ｏｆ  Ｆｉｌｅ  Ｓｔｒｕｃｔｕｒｅ  ａｎｄ  Ｆｉｌｅｓ５０９に記述されたデータに基づいて当該領域にアクセスするようにドライブ用システムコントローラに信号を出力する。一方、前記記憶手段に記憶されたＳｐａｒｉｎｇ  Ｔａｂｌｅ５０６，５０８に、当該領域に対応するＬＢＮが記述されている場合には、当該領域に記載されるデータに対して代替処理が行なわれている。よって、システムコントローラ１１７は、Ｓｐａｒｉｎｇ  Ｔａｂｌｅ５０６，５０８に記述されたデータに基づいて、別の領域のＬＳＮに基づいてアクセスするようにドライブ用システムコントローラに信号を出力する。
【００５７】
また、Ｓｐａｒｉｎｇ  Ｔａｂｌｅ５０６，５０８に基づく代替処理は、例えば、以下のように行なう。まず、システムコントローラ１１７は、Ｓｐａｒｉｎｇ  Ｔａｂｌｅ５０６，５０８に記録されたデータを図示しない記憶手段に記憶させる。そして、データの記録時において、当該データを記録する領域にキズがある場合、または、当該領域への記録回数が限界書換回数に達している場合、システムコントローラ１１７は、前記別の領域のＬＳＮに記録し、記憶手段に記憶されたＳｐａｒｉｎｇ  Ｔａｂｌｅを更新し、任意のタイミングで光ディスクに記録する。一方、データの記録時において、当該データを記録する領域にキズがなく、当該領域への記録回数が限界書換回数に達していない場合、システムコントローラ１１７は、当該領域にデータを記録する。
【００５８】
図６は、実施の形態２の光ディスク１０２へのファイルシステムデータの記録を説明するための説明図である。図６（１）は、光ディスク１０２がブランクディスクである場合を模式的に示した模式図であり、４０１はリードインエリア、４０２はリードアウトエリア、４０３は実データ、ファイルシステムデータが記録されるデータエリア、４０４はミドルエリアである。また、入射面に近い記録層をレイヤ０とし、入射面から遠い記録層をレイヤ１とした。
【００５９】
情報記録再生装置１０００は、図６（１）に示したブランクディスクが光学ドライブ１０１に挿入されると、当該情報記録再生装置１０００に予め定められる所定のデータに対応するファイルシステムデータを生成し、データエリア４０３の内周（リードインエリア４０１またはリードアウトエリア４０２に隣接する領域）に当該ファイルシステムデータを記録する。そして、実施の形態２の場合においては、ファイルシステムデータのうち、書換え頻度の高いデータをレイヤ１に記録し、その他のデータ（書換え頻度の低いデータ）はレイヤ０に記録する。以上の処理によって、光ディスク１０２の初期化が行なわれる。
【００６０】
具体的に説明すると、情報記録再生装置１０００は、まず、ファイルシステムデータを記録する領域（図６（２）において領域４０５および領域４０６によって形成される太線で囲まれた領域である。以下、図６中において太線で囲まれた領域をＲゾーンという。）を画定する。そして、書換え頻度の低いデータをレイヤ０の領域４０５の内周側からＵＤＦ規格に則って順次記録する。次に、書換え頻度の低いデータのレイヤ０への記録が終了した際に、レイヤ０からレイヤ１にジャンプし、書換え頻度の高いデータをレイヤ１の領域４０６の外周側から順次記録する（図６（２））。
【００６１】
初期化が行なわれた後、情報記録再生装置１０００は、実データの記録を行なう。情報記録再生装置１０００は、まず、実データの記録を行なうＲゾーン（図６（３）における領域４０８〜４１０が含まれる太線で示した領域）を確定する。そして、当該Ｒゾーンにおけるレイヤ０の所定の位置から、領域４０８から領域４０９において示した矢印の方向に実データの記録を行なう。そして、実データを再生するために必要な再生制御データを領域４１０に記録する。上述のように、新たな実データが光ディスク１０２に記録されると、Ｄｅｓｃｒｉｐｔｏｒ  ｏｆ  Ｆｉｌｅ  Ｓｔｒｕｃｔｕｒｅ  ａｎｄ  Ｆｉｌｅｓ５０９に記述されるデータ、およびＳｐａｒｉｎｇ  Ｔａｂｌｅ５０６，５０８に記述されるデータが変更される。具体的には、当該情報記録再生装置１０００において、ファイルシステムデータイメージの更新を行なわれる。よって、情報記録再生装置１０００は、所定のタイミングにおいて、図６（２）の領域４０６の領域に記録されたファイルシステムデータに新たなファイルシステムデータを上書きする（図６（３））。
【００６２】
以上の説明のように、実施の形態２における光ディスク１０２においては、ＵＤＦ規格において記録する位置が予め定められたファイルシステムデータについては、ＵＤＦ規格に則って記録する。一方、ＵＤＦ規格において記録する位置が予め定められず、かつ書換頻度の高いファイルシステムデータについては、限界書換回数が多い記録層に記録を行なう。よって、実施の形態１の光ディスク１０２と同様に、光ディスク１０２の寿命を実質的に延ばすことができるとともに、既存の装置（ＤＶＤプレーヤまたはＤＶＤレコーダ）との互換性を確保することができる。
【００６３】
なお、実施の形態２においては、ＤＶＤ−ＲＷに適用可能な記録方式のうち、Ｌａｙｅｒ  Ｊｕｍｐ  Ｒｅｃｏｒｄｉｎｇ方式によって実データ等の記録を行なう場合について説明したが、Ｄｉｓｃ  ａｔ  Ｏｎｃｅ  Ｒｅｃｏｒｄｉｎｇ方式、またはＲｅｔｒｉｃｔｅｄ  Ｏｖｅｒｗｒｉｔｅ  Ｒｅｃｏｒｄｉｎｇ方式の場合においても、書換え頻度の高いファイルシステムデータをレイヤ１に記録することができる。ただし、複数の記録層を有するＤＶＤにおいては、規格上、データの記録を行なう記録層よりも入射面に近い記録層に情報が記録されていない場合には、当該記録層への情報の記録を行なうことができない。したがって、Ｒｅｔｒｉｃｔｅｄ  Ｏｖｅｒｗｒｉｔｅ  Ｒｅｃｏｒｄｉｎｇ方式の場合においては、レイヤ０の全ての領域にデータが記録されるまでの間はレイヤ１に書換え頻度の高いファイルシステムデータを記録することができない。よって、Ｒｅｔｒｉｃｔｅｄ  Ｏｖｅｒｗｒｉｔｅ  Ｒｅｃｏｒｄｉｎｇ方式の場合においては、レイヤ１の全ての領域にデータが記録された後に、書換頻度の高いファイルシステムデータをレイヤ１に記録するようにすればよい。
【００６４】
なお、実施の形態２の光ディスク１０２のように記録層が２つの場合においては、いずれの記録層の限界書換回数が高いかを特定できればよい。すなわち、各記録層について順位情報を設ける必要はない。したがって、例えば、限界書換回数が高い記録層を示すフラグをＭｅｄｉｕｍ  Ｕｎｉｑｕｅ  Ｄａｔａに記録するようにしてもよい。そうすると、実施の形態１の場合に比べて、限界書換回数が高い記録層を特定するためのデータの情報量を少なくすることができる。以下、具体的に説明する。
【００６５】
図７は、前記フラグを光ディスクに設ける場合の一例を説明するための説明図である。以下、当該フラグをＭｅｄｉｕｍ  Ｕｎｉｑｕｅ  Ｄａｔａに記録する場合を例として説明する。図７（１）はＰＦＩ（以下、ＰＦＩ６０１）のデータレイアウトを説明するための説明図である。図７（１）において、ＢＰで示した列は当該ＰＦＩ６０１におけるビット位置（領域）を示し、Ｃｏｎｔｅｎｔｓで示した列は当該ビット位置に記録されるデータの内容を示す。また、Ｎｕｍｂｅｒ  Ｏｆ  Ｂｙｔｅは、ＢＰにおいて示される領域のバイト数を示す。
【００６６】
図７の例においては、ＢＰ４０（ＰＦＩの先頭から４０Ｂｙｔｅ目）をＤＯＷ  Ｄｅｓｃｒｉｐｔｏｒ６０２として設定し、当該ＤＯＷ  Ｄｅｓｃｒｉｐｔｏｒ６０２に、限界書換回数が高い記録層を示すフラグを設ける。なお、図７（１）において、Ｂｏｏｋ  ｔｙｐｅ  ａｎｄ  Ｖｅｒｓｉｏｎは、光ディスクに適用される規格を示すデータが記述される。また、Ｄｉｓｃ  Ｓｉｚｅ  ａｎｄ  Ｍａｘｉｍｕｍ  ｔｒａｎｓｆｅｒ  ｒａｔｅ  ｏｆ  ｄｉｓｃは、当該光ディスクの記録容量および伝送レートを示すデータが記述される。さらに、Ｓｔａｒｔ  ＰＳＮ  ｏｆ  Ｐｈｙｓｉｃａｌ  ｆｏｒｍａｔ  ｉｎｆｏｒｍａｔｉｏｎ  ｂｌｏｃｋｓは、ＰＦＩＺの開始ＰＳＮが記述される領域である。なお、ｒｅｓｅｒｖｅｄは、将来的に光ディスクの機能拡張のために使用される領域である。
【００６７】
図７（２）は、ＤＯＷ  Ｄｅｓｃｒｉｐｔｏｒ６０２のデータレイアウトを説明するための説明図である。図７（２）において、「ＤＯＷ記述子フラグ」で示した領域６０３（以下、ＤＯＷ記述子フラグ領域６０３ともいう）は、当該ＤＯＷ  Ｄｅｓｃｒｉｐｔｏｒ６０２に限界書換回数が高い記録層を示すデータが記述されているか否かを示すフラグを設ける領域である。ＤＯＷレイヤ番号で示した領域６０４（以下、ＤＯＷレイヤ番号領域６０４ともいう）は、限界書換回数が高い記録層を示すデータを記述する領域である。なお、「予約」で示した領域６０５（以下、予約領域６０５ともいう）は、将来的な光ディスクの機能拡張のために、ＤＯＷ特性に関する情報を記述可能な領域である。
【００６８】
具体的に説明すると、例えば、ＤＯＷ記述子フラグ領域６０３に「０（ゼロ）」が記述された場合には、ＤＯＷレイヤ番号領域６０４に、限界書換回数が高い記録層がいずれの記録層であるかを示すデータが記述されていないものとする。すなわち、ＤＯＷレイヤ番号領域６０４が無効であるものとする。一方、ＤＯＷ記述子フラグ領域６０３に「１」が記述された場合には、ＤＯＷレイヤ番号領域６０４に、限界書換回数が高い記録層がいずれの記録層であるかを示すデータが記述されているものとする。すなわち、ＤＯＷレイヤ番号領域６０４が有効であるものとする。そうすると、システムコントローラ１１７は、ＤＯＷレイヤ番号領域６０４にアクセスするか否かを決定することができる。
【００６９】
次に、ＤＯＷレイヤ番号領域６０４に記述するデータについて具体的に説明すると、例えば、当該ＤＯＷレイヤ番号領域６０４に、「０（ゼロ）」が記述された場合には、レイヤ０の限界書換回数が高い旨を示すものとし、「１」が記述された場合には、レイヤ１の限界書換回数が高い旨を示すものとする。そうすると、システムコントローラ１１７は、アクセスする記録層を決定することができる。
【００７０】
以上の説明のように、当該フラグは「０（ゼロ）」または「１」によって示すことができるため、当該フラグの情報量は非常に少ない。なお、図７に示した例の場合、システムコントローラ１１７は、図４のＳ３０３に示した動作に替えて、上述した、ＤＯＷ記述子フラグ領域６０３に記述されたデータおよびＤＯＷレイヤ番号領域６０４に記述されたデータに基づく判断を行なう。また、以上の説明においては、ＤＯＷレイヤ番号領域６０４の有効性を判断するためにＤＯＷ記述子フラグ領域６０３を設ける場合について説明したが、当該領域は設けなくてもよい。この場合、システムコントローラは、ＤＯＷレイヤ番号領域６０４に記述されたデータを読み出して、アクセスする記録層を選択する。また、以上の説明においては、理解を容易にするため、レイヤに付した番号と、ＤＯＷレイヤ番号領域６０４に記述される番号を同一の番号としたが、異なる番号としてもよい。
【００７１】
また、実施の形態２においては、図６（１）において説明した初期化時に、書換え頻度の高いファイルシステムデータをレイヤ１に記録する。しかしながら、レイヤ０に記録するファイルシステムデータの情報量が、レイヤ１に記録するファイルシステムデータの情報量よりも少ない場合においては、レイヤ１に記録すべきファイルシステムデータを全て記録することができない。上述のように、複数の記録層を有するＤＶＤにおいては、規格上、データの記録を行なう記録層よりも入射面に近い記録層に情報が記録されていない場合には、当該記録層への情報の記録を行なうことができないためである。
【００７２】
よって、レイヤ０に記録するファイルシステムデータの情報量が、レイヤ１に記録するファイルシステムデータの情報量よりも少ない場合には、書換え頻度の高いファイルシステムデータを記録可能な領域をレイヤ１に確保すべく、レイヤ０にパディングを行なう。そうすると、上述のような場合においても、書換え頻度の高いファイルシステムデータをレイヤ１に記録することができる。
【００７３】
また、以上に説明した実施の形態１または２においては、限界書換回数が最大の記録層にファイルシステムデータを記録する場合について説明したが、当該記録層が限界書換回数に達した後に、ファイルシステムデータを記録する領域を、順位情報によって示される限界書換回数の順位の昇順に順次変更してもよい。したがって、例えば、限界書換回数が最大の記録層への記録が限界書換回数に達した後に、限界書換回数が２番目に多い記録層にファイルシステムデータを記録する。そして、限界書換回数が２番目に多い記録層への記録が限界書換回数に達した後に、限界書換回数が３番目に多い記録層にファイルシステムデータを記録する。
【００７４】
なお、以上の説明においては、ファイルシステムデータを記録する領域を、順位情報によって示される限界書換回数の順位の昇順に順次変更する場合について説明したが、当該順位の降順に順次変更してもよい。すなわち、限界書換回数が最小の記録層から限界書換回数が最大の記録層へとファイルシステムデータを記録する記録層を変更してもよい
【００７５】
なお、各記録層への記録が限界書換回数に達したか否かの判断は、以下のようにして行なうことができる。例えば、システムコントローラ１１７から書換回数を示すデータを出力させ、図示しないカウンタによって当該書換回数をカウントする。そして、カウントした値と所定のしきい値とを比較して、当該しきい値をカウントした値が超えた場合には限界書換回数を超えたと判断することができる。
【００７６】
なお、実施の形態２において説明したように、当該光ディスク１０２のレイヤ１にＳｐａｒｉｎｇ  Ｔａｂｌｅ、または、Ｄｅｓｃｒｉｐｔｏｒ  ｏｆ  Ｆｉｌｅ  Ｓｔｒｕｃｔｕｒｅが記録されている場合において、当該光ディスク１０２のファイルシステムデータを読み出す場合、記録層別限界書換回数順位フィールド２０５に記述されたデータは必要ない。したがって、上述の場合には、記録層別限界書換回数順位フィールド２０５に記述されたデータを読まずに、ＵＤＦ２．０に従ってデータを読み出すようにしてもよい。
【００７７】
具体的には、ＶＲＳ５０２（ＬＳＮ１６目）から読み込み、ＡＶＤＰ５０５，５１０，５１１のいずれかを読み、ＭＶＤＳ５０３およびＲＶＤＳ５０４の位置を特定する。そして特定したＭＶＤＳ５０３もしくはＲＶＤＳ５０４を読込むことでＶＤＳを取得し、Ｓｐａｒｉｎｇ  Ｔａｂｌｅ、またはＤｅｓｃｒｉｐｔｏｒ  ｏｆ  Ｆｉｌｅ  Ｓｔｒｕｃｔｕｒｅの位置を特定する。
【００７８】
また、光学ドライブ１０１の光学ドライブ信号処理部１０８で行なうＥＣＣブロック誤り訂正処理でＥＣＣブロックの誤り数が所定の数を超えた場合に限界書換回数に達したと判断することもできる。
【００７９】
また、光学ドライブ１０１のアナログフロントエンド部１０７で行なう、ＡＤ変換の際に、アナログフロントエンド部１０７に入力される信号の振幅を観測し、限界書換回数に達したと判断することもできる。具体的には、例えば、当該振幅が所定のしきい値を下回れば、限界書換回数に達したものと判断し、当該振幅が所定のしきい値以上の場合には、限界書換回数に達していないものと判断する。
【００８０】
また、各記録層の書換回数が限界書換回数を超えた際に、順位フィールドに記述されたデータを更新してもよい。具体的には、例えば、限界書換回数が最大の記録層への記録が限界書換回数に達した場合に、当該記録層に対応する順位情報を順位が最下位である旨を示すデータに更新し、他の記録層に対応する順位情報に対応する順位を繰り上げるように更新するようにしてもよい。
【００８１】
また、当該光ディスクにおいて、各記録層の限界書換回数に関する情報は記述されているが、順位情報が記述されていない場合には、システムコントローラ１１７において当該限界書換回数を比較して、各記録層に対応する順位情報を生成し、記録層別限界書換回数順位フィールドを生成するようにしてもよい。
【００８２】
また、上述のように、記録層別限界書換回数順位フィールドの更新を行なう場合においては、光ディスクに実データを記録した後に、当該光ディスクを初期化する際、記録層別限界書換回数順位フィールドに関しては初期化せず、最新の状態を保持しておくようにしてもよい。
【００８３】
また、以上の説明においては、順位情報を参照してファイルシステムデータの記録を行なう場合について説明したが、光ディスクに記録数データのうち、書換頻度の高いデータであれば、同様に扱うことができる。例えば、再生制御データは、順位情報を参照してファイルシステムデータの記録を行なうデータの一例である。
【図面の簡単な説明】
【００８４】
【図１】この発明の実施の形態１の光ディスクにおけるリードインエリアのデータレイアウトを説明するための説明図である
【図２】実施の形態１における情報記録再生装置１０００の構成を示すブロック図である。
【図３】情報記録再生装置１０００の動作を示すフローチャートである。
【図４】情報記録再生装置１０００の動作を示すフローチャートである。
【図５】ＤＶＤ−ＲＷにおいて使用されるファイルシステムデータを説明するための説明図である。
【図６】この発明の実施の形態２の光ディスク１０２へのファイルシステムデータの記録を説明するための説明図である。
【図７】限界書換回数が高い記録層を示すフラグを光ディスクに設ける場合の一例を説明するための説明図である。
【符号の説明】
【００８５】
１０１  光学ドライブ、１０２  光ディスク、１０３  スレッドモータ、１０４  光学ヘッド、１０５  スピンドルモータ、１０６  駆動制御部、１０７  アナログフロントエンド部、１０８  光学ドライブ信号処理部、１０９  ドライブ用システムコントローラ、１１０  入出力制御部、１１１  圧縮／伸長処理部、１１２  多重化処理部、１１３  ビデオ処理部、１１４  オーディオ処理部、１１５  ビデオ入出力部、１１６  オーディオ入出力部、１１７  システムコントローラ、１１８  操作部。
【図１】
2007073083.tif 000003
【図２】
2007073083.tif 000004
【図３】
2007073083.tif 000005
【図４】
2007073083.tif 000006
【図５】
2007073083.tif 000007
【図６】
2007073083.tif 000008
【図７】
2007073083.tif 000009